(57)【要約】【課題】  原稿が本のような肉厚ものの場合であっても走査光が外部に漏洩せず、かつコスト的に有利なスキャナ機能を備えた画像形成装置を提供すること。【解決手段】  原稿が載置される原稿台３と、該原稿台３を覆う板体からなり、一辺が回動自在に固定された遮光カバー４と、を備え、前記原稿台３上に載置された原稿を走査することで該原稿の画像データを取得するスキャナ機能を備えた画像形成装置（複写装置）１において、前記原稿台３に原稿が載置され、該原稿を前記遮光カバー４で覆った際に前記原稿台３と遮光カバー４との間に生じる隙間を塞ぐ前辺用遮光部６と側辺用遮光部７を備えた。【選択図】    図１
2006243414.tif 000002
【特許請求の範囲】
【請求項１】
原稿が載置される原稿台と、該原稿台を覆う板体からなり、一辺が回動自在に固定された遮光カバーと、を備え、前記原稿台上に載置された原稿を走査することで該原稿の画像データを取得するスキャナ機能を備えた画像処理装置において、
前記原稿台に原稿が載置され、該原稿を前記遮光カバーで覆った際に前記原稿台と遮光カバーとの間に生じる隙間を塞ぐ遮光手段を備えたことを特徴とするスキャナ機能を備えた画像形成装置。
【請求項２】
前記遮光手段は、前記遮光カバーの前記回動自在に固定された一辺に対向する前辺と前記原稿台との間に生じる隙間を塞ぐための前辺用遮光手段と、前記遮光カバーの前記回動自在に固定された１辺に隣接する側辺と前記原稿台との間に生じる隙間を塞ぐための側辺用遮光手段とからなることを特徴とする請求項１に記載のスキャナ機能を備えた画像形成装置。
【請求項３】
前記前辺用遮光手段は、前記遮光カバー側又は前記画像形成装置の本体側に収納され、収納された状態から引き出されて該遮光カバーの前辺と前記原稿台との間に生じる隙間を塞ぐように形成され、
前記側辺用遮光手段は、前記遮光カバーの側辺に対応する前記画像形成装置本体内部に収納されると共に、収納状態から引き出されて前記遮光カバーの側辺と前記原稿台との間に生じる隙間を塞ぐように形成されていることを特徴とする請求項２に記載のスキャナ機能を備えた画像形成装置。
【請求項４】
前記前辺用遮光手段は、前記遮光カバーの前辺又は画像形成装置本体の前記前辺に対応する位置に設けられた渦巻きバネによってロール状に巻き取られて収納される遮光幕と、前記画像形成装置本体の前記前辺に対応する位置又は前記遮光カバーの前辺に設けられた前記遮光幕の端部を係止する係止部と、からなることを特徴とする請求項３に記載のスキャナ機能を備えた画像形成装置。
【請求項５】
前記前辺用遮光手段は、前記遮光カバーの前辺に蝶番によって回動自在に取り付けられた遮光板からなることを特徴とする請求項３に記載のスキャナ機能を備えた画像形成装置。
【請求項６】
前記側辺用遮光手段は、前記遮光カバーの側辺に対応する前記画像形成装置本体内部に収納された実質的に扇形の遮光板からなることを特徴とする請求項３に記載のスキャナ機能を備えた画像形成装置。
【発明の詳細な説明】
【技術分野】
【０００１】
本発明は、スキャナ機能を備えた画像形成装置に関し、特に原稿が厚手の本等の場合にも、外部への光漏れを防止するスキャナ機能を備えた画像形成装置に関する。
【背景技術】
【０００２】
スキャナや複写機などのスキャナ機能を備えた画像形成装置は、投光器からの走査光を四角形のガラス板の上に載置した原稿に反射させて、原稿を画像データとして取得するものである。このような画像形成装置にはガラス板の上面を覆う一辺が回動自在に固定された板状の蓋体が設けられており、原稿の走査を行うときにはこの蓋体を閉じて走査光が外部に漏れないようにしている。しかしながら、原稿が厚手の本のように肉厚なものである場合は板状の蓋体ではガラス板を密閉することができず、投光器からの強力な走査光が外部に漏れてしまうことがあった。走査光が外部に漏れると複写画面の周縁部に黒枠を生じてしまうと共に、ユーザの目に大きな負担をかけてしまうという問題点があった。
【０００３】
そこで、上述の問題点を改善するための従来技術として、例えば下記特許文献１で示すものが提案されている。この複写装置は、ガラス板を覆う遮光幕を設けたものであって、この遮光幕は常時はガラス板の周辺に納められている。そして、本のような厚いものをガラス板の上において複写するときには、遮光幕で覆うことにより走査光が漏洩されない。具体的には、ガラス板の周囲に鉄板等で形成された磁性の枠が嵌め込まれている。この枠の外側には、ガラス板の一辺と平行な遮光幕を巻いた第１のロールを配置し、この第１のロールと９０度角度を変えた位置に、別の遮光幕を巻いた第２のロールを配置したものである。各ロールは軸に巻きつけられた渦巻きバネの力でそれぞれの遮光幕を巻き取る方向の回転力が与えられている。遮光幕の先端には薄板からなる剛体が取り付けられている。更に、この剛体の両端に磁石が取り付けられている。この磁石の磁力は、磁石を枠に吸着させて時に遮光幕を渦巻きバネの力に抗して書くロールから引き出した位置に保持させるに十分な磁力が与えられている。
【０００４】
また、他の従来技術として、下記特許文献２で示すものが提案されている。これは原稿を載置する原稿台自体を下降可能にしたものである。即ち、本のような厚い原稿を複写する場合は遮光カバーによって原稿台上の原稿を完全に覆うことができないので、走査光が外部に漏洩して適正な複写ができないという問題点をなくすために、遮光カバーはそのままで原稿台を複写装置本体に対して下降させたものである。そして、原稿を覆う遮光カバーは原稿台上の原稿の厚みに相当する高さだけ原稿台の上方に位置しているが，遮光カバーの周縁部下面が原稿台を取り囲むキャビネット上面に密着しているために、光源からの光が外部に漏洩する恐れがなくなるものである。
【０００５】
【特許文献１】特開２０００−３１０８１４号公報（段落〔０００２〕〜〔０００９〕）
【特許文献２】特開平５−３４６７１４号公報（段落〔０００３〕、〔０００８〕〜〔００１０〕、〔００１５〕〜〔００１７〕）
【発明の開示】
【発明が解決しようとする課題】
【０００６】
しかしながら、上述した特許文献１で示す従来技術においては、複写装置本体に蝶番で開閉自在に取り付けられた遮光用の蓋以外に、原稿台全面を覆う大掛かりな遮光幕を設けているため、コスト的に不利である。また、上記特許文献２で示す従来技術にあっては、原稿台を装置本体に対して下降するようにしたため、その機械的な構成が複雑でこちらもコスト的に不利であるという問題があった。
【０００７】
そこで、本発明は、上記の問題点に鑑みなされたものであり、原稿が本のような肉厚ものの場合であっても走査光が外部に漏洩せず、かつコスト的に有利なスキャナ機能を備えた画像形成装置を提供することを目的とする。
【課題を解決するための手段】
【０００８】
前記課題を解決するために、本願の請求項１に係るスキャナ機能を備えた画像形成装置は、原稿が載置される原稿台と、該原稿台を覆う板体からなり、一辺が回動自在に固定された遮光カバーと、を備え、前記原稿台上に載置された原稿を走査することで該原稿の画像データを取得するスキャナ機能を備えた画像処理装置において、
前記原稿台に原稿が載置され、該原稿を前記遮光カバーで覆った際に前記原稿台と遮光カバーとの間に生じる隙間を塞ぐ遮光手段を備えたことを特徴とする。
【０００９】
また、本願の請求項２に係る発明は、請求項１に記載のスキャナ機能を備えた画像形成装置に係り、前記遮光手段は、前記遮光カバーの前記回動自在に固定された一辺に対向する前辺と前記原稿台との間に生じる隙間を塞ぐための前辺用遮光手段と、前記遮光カバーの前記回動自在に固定された１辺に隣接する側辺と前記原稿台との間に生じる隙間を塞ぐための側辺用遮光手段とからなることを特徴とする。
【００１０】
また、本願の請求項３に係る発明は、請求項２に記載のスキャナ機能を備えた画像形成装置に係り、前記前辺用遮光手段は、前記遮光カバー側又は前記画像形成装置の本体側に収納され、収納された状態から引き出されて該遮光カバーの前辺と前記原稿台との間に生じる隙間を塞ぐように形成され、
前記側辺用遮光手段は、前記遮光カバーの側辺に対応する前記画像形成装置本体内部に収納されると共に、収納状態から引き出されて前記遮光カバーの側辺と前記原稿台との間に生じる隙間を塞ぐように形成されていることを特徴とする。
【００１１】
また、本願の請求項４に係る発明は、請求項３に記載のスキャナ機能を備えた画像形成装置に係り、前記前辺用遮光手段は、前記遮光カバーの前辺又は画像形成装置本体の前記前辺に対応する位置に設けられた渦巻きバネによってロール状に巻き取られて収納される遮光幕と、前記画像形成装置本体の前記前辺に対応する位置又は前記遮光カバーの前辺に設けられた前記遮光幕の端部を係止する係止部と、からなることを特徴とする。
【００１２】
また、本願の請求項５に係る発明は、請求項３に記載のスキャナ機能を備えた画像形成装置に係り、前記前辺用遮光手段は、前記遮光カバーの前辺に蝶番によって回動自在に取り付けられた遮光板からなることを特徴とする。
【００１３】
また、本願に請求項６に係る発明は、請求項３に記載のスキャナ機能を備えた画像形成装置に係り、前記側辺用遮光手段は、前記遮光カバーの側辺に対応する前記画像形成装置本体内部に収納された実質的に扇形の遮光板からなることを特徴とする。
【発明の効果】
【００１４】
本願の請求項１に係る発明においては、既存の遮光カバーで原稿台の全面を覆うが、それでも原稿台と遮光カバーとの間に隙間が生じるときにはこれを遮光手段で塞ぐようにしたため、原稿が厚いものであっても走査光が外部に漏洩しない。そして、既存の遮光カバーをそのまま利用するため低いコストで走査光の漏洩を防止できるスキャナを備えた画像形成装置を提供できる。
【００１５】
また、本願の請求項２に係る発明によれば、遮光手段は、前記遮光カバーの前辺と原稿台との間に生じる隙間を前記前辺用遮光手段で塞ぐと共に、前記遮光カバーの側辺と原稿台との間に生じる隙間を前記側辺用遮光手段によって塞ぐため、前記原稿台上に厚い原稿が載置されても走査光が外部に漏洩することを確実に防止できる。
【００１６】
また、本願の請求項３に係る発明によれば、前記前辺用遮光手段は、常時は前記遮光カバーの前辺又はそれに対応する画像形成装置本体に収納されている。また、前記側辺用遮光手段は、同様に常時は前記画像形成装置本体に収納されている。そして、前記遮光カバーの前辺と側辺とに隙間が生じた際は、前記前辺用遮光手段と側辺用遮光手段とを引き出すことによって走査光の漏洩を遮断できる。そのため、薄い原稿を原稿台に載置したときには、遮光カバーだけで遮光して前記前辺用遮光手段と側辺用遮光手段とが邪魔にならないように収納できる。そして、厚い原稿を原稿台に載置したときには、既存の遮光カバーで遮光すると共に前記前辺用遮光手段と側辺用遮光手段とを引き出して隙間を塞ぐことができるので、低コストで走査光の遮光を実現した画像形成装置を提供できる。
【００１７】
また、本願の請求項４に係る発明によれば、前記遮光幕は、常時はロール状に巻き取られて収納されているので、前記遮光カバーだけで原稿台を覆うときに邪魔にならない。一方、前記遮光幕を用いて隙間を塞ぐときには、遮光幕を引き出して端を係止部で係止するだけでよいため、取り扱いが簡単である。
【００１８】
また、本願の請求項５に係る発明によれば、前記遮光板は、常時は前記カバーに重ねられて収納状態とされているので、前記遮光カバーだけで原稿台を覆う際には邪魔にならない。一方、前記遮光板を用いて隙間を塞ぐときには、この遮光板を回動させて遮光カバーの前辺から垂下した状態とするだけでよいため、取り扱いが簡単である。
【００１９】
また、本願の請求項６に係る発明によれば、前記遮光板は、常時は本体側に収納されているので前記遮光カバーだけで原稿台を覆うときに邪魔にならない。一方、前記遮光板を用いて隙間を塞ぐときには、遮光板を回動して収納状態から引き出すだけでよいため、取り扱いが簡単である。
【発明を実施するための最良の形態】
【００２０】
以下、本発明の具体例を実施例及び図面を用いて詳細に説明する。なお、以下にはスキャナ機能を備えた画像形成装置として複写装置について説明を行うが、本発明はこれに限定されることなく、例えばスキャナ等にも適宜適応可能である。
【実施例１】
【００２１】
以下、本発明の実施例１について図面を参照して説明する。図１は本発明の実施例１における複写装置であって薄い原稿を複写する状態を示す斜視図、図２は本発明の実施例１における複写装置であって厚い原稿を複写する状態を示す斜視図である。
【００２２】
図１、図２において複写装置１は、本体２の上面に配置された原稿台３上に遮光カバー４が設けられている。この遮光カバー４は本体２上部に設けられた操作パネル５から見て対向する側の辺が蝶番４１によって回動自在に取り付けられている。原稿台３には四角形のガラス板が設けられており、その上に載置された原稿を光学的に走査することで画像データが得られるようになっている。
【００２３】
遮光カバー４は原稿台３の上面を覆って原稿を固定すると共に走査光が外部に漏洩しないようにするためのものである。そして、遮光カバー４には、蝶番４１が設けられている支軸側の辺に対向する前辺にロール状の遮光幕６１を有する前辺用遮光部６が設けられている。前辺用遮光部６において遮光幕６１は使用しない場合は渦巻きバネ（図示せず）によって遮光カバー４の前辺に巻き取られて収納された状態になっている。また、遮光幕６１の先端には係止ループ６２が設けられている。一方、本体２の前記遮光カバー４に設けられた係止ループ６２が位置する部分にはこの係止ループ６２が係止される係止爪６３が設けられており、この係止ループ６２と係止爪６３とを係止することによって遮光幕６１を引き出し固定する。尚、前辺用遮光部６はその遮光幕６１が本体２側に収納されるように配置してもよい。
【００２４】
原稿台３の両側辺には、ほぼ扇形の遮光板７１からなる側辺用遮光部７が設けられている。本体２にはこの遮光板７１が挿入されるスリット状の収納部７２が形成されており、遮光板７１は本体２に支軸７３によって回動自在に取り付けられている。遮光板７１を使用しない場合は収納部７２に収納されているが、これより引き出した際にその維持するためにクリックストップ機構（図示せず）が設けられている。
【００２５】
このようにして、遮光カバー４だけでは覆いきれない場合に生じる隙間を前辺用遮光部６と側辺用遮光部７とからなる遮光手段によって塞ぐことができる構成をとっている。
【００２６】
上述した本発明の実施例１による複写装置１の取り扱いについて説明する。先ず、薄い原稿を複写する場合は、図１で示すように原稿台３を遮光カバー４で覆うことにより、走査光が外部に漏れないようにできる。即ち、原稿が薄いので遮光カバー４と原稿台３との間に隙間が生じることなく、遮光カバー４により原稿台３を覆うことができる。その結果、複写装置１は原稿を走査光で走査し画像データを取得して出力用紙に複写することができる。
【００２７】
これに対し、本のような厚い原稿を複写する場合は、図２で示すように遮光カバー４だけでは原稿台３との間に隙間を生じてしまう。そのため、遮光カバー４の前辺と原稿台３との間に生じた隙間は、この前辺に取り付けられた遮光幕６１を引き出して係止ループ６２を係止爪６３に係止することでその隙間を塞ぐ。一方、遮光カバー４の両側辺と原稿台３との間に生じた隙間は、本体２の収納部７２に収納されている遮光板７１を引き出し、引き出した状態をクリックストップ機構で維持することで隙間を塞ぐ。即ち、原稿が厚いと遮光カバー４の前辺及び両側辺と原稿台３との間に隙間を生じるが、この隙間は前辺用遮光部６と側辺用遮光部７とからなる遮光手段によって塞がれる。このようにして、走査光は外部に漏洩しなくなるので、複写装置１は原稿を走査光で走査し画像データを取得して出力用紙に黒枠を生じさせないで複写することができる。
【００２８】
また、遮光幕６１は使用しない場合は遮光カバー４に収納されている。同様に遮光板７１も使用しない場合は複写装置１の収納部７２に収納されている。その結果、遮光カバー４の前辺と両側辺とに生じる隙間を塞ぐときは、遮光幕６１と遮光板７１とを引き出せばよい。そのため、薄い原稿を原稿台３に載置したときには、遮光カバー４だけで遮光し、その間は遮光幕６１と遮光板７１と収納されているため、邪魔になることがない。そして、厚い原稿を原稿台３に載置したときには、既存の遮光カバー４で遮光すると共に遮光幕６１と遮光板７１とを引き出して隙間を塞ぐことができるので取り扱いが容易である。遮光カバー４と原稿台３との間の隙間は原稿の厚さの程度によって変化するが、遮光幕６１及び遮光板７１の引き出し長さを原稿の厚さに応じて伸縮することにより確実に隙間を塞ぐことができる。
【００２９】
更に、遮光板７１は本体２側に支軸７３によって回動させて収納できるので収納に占める空間を最小限にできる。
【実施例２】
【００３０】
次に、本発明の実施例２について図３、図４を参照して説明する。図３は本発明の実施例２における複写装置であって薄い原稿を複写する状態を示す斜視図、図４は本発明の実施例２における複写装置であって厚い原稿を複写する状態を示す斜視図である。本実施例２は、前辺用遮光部８のみが上記実施例１と異なり、他の構造は同一であるので、図３、図４においては実施例１と同一部分は同一符号を付してその説明を省略する。
【００３１】
原稿台３の上面を覆うために設けられた遮光カバー４には、その前辺に遮光板８１からなる前辺用遮光部８が設けられている。遮光板８１は蝶番８２によって遮光カバー４に回動自在に取り付けられており、遮光板８１は常時は図３で示すように遮光カバー４上に重ねられている。この重ねられた状態は、保持手段（図示せず）によって維持されている。
【００３２】
上述した本発明の実施例２による複写装置１の取り扱いについて説明する。先ず、薄い原稿を複写する場合は、図３で示すように原稿台３を遮光カバー４で覆うことにより、走査光が外部に漏れないようにできる。このときは、遮光板８１は遮光カバー４に重ねて収納状態としておく。即ち、原稿が薄いので遮光カバー４と原稿台３との間に隙間が生ずることなく、遮光カバー４により原稿台３を覆うことができる。その結果、複写装置１は原稿を走査光で走査し画像データを取得して出力用紙に複写することができる。
【００３３】
これに対し、本のような厚い原稿を複写する場合は、図４で示すように遮光カバー４だけでは原稿台３との間に隙間を生じてしまう。そのため、遮光カバー４の前辺と原稿台３との間に生じた隙間は、この前辺に取り付けられた遮光板８１を前方に回動させて垂下させることによりその隙間を塞ぐ。一方、遮光カバー４の両側辺と原稿台３との間に生じた隙間は、実施例１の場合と同様に、本体２の収納部７２に収納されている遮光板７１を引き出し、引き出した状態でクリックストップ機構により固定することで隙間を塞ぐ。即ち、原稿が厚い場合には遮光カバー４の前辺及び両側辺と原稿台３との間に隙間が生じるが、この隙間は前辺用遮光部８と側辺用遮光部７とからなる遮光手段によって塞がれる。これにより、走査光が外部に漏洩しなくなるので、複写装置１は原稿を走査光で走査し画像データを取得して出力用紙に黒枠を生じさせないで複写することができる。
【００３４】
上述した本発明の実施例においては、既存の遮光カバー４で原稿台３を全面的に覆うが、原稿が厚いために遮光カバー４と原稿台３との間に隙間が生じてもこの隙間を前辺用遮光部６（８）と側辺用遮光部７とによって塞ぐことができる。従って、既存の遮光カバー４をそのまま利用して走査光の外部への漏洩を防止し、コスト的に有利な条件で出力用紙に黒枠を生じさせることなく、且つユーザの目に負担をかけることのない複写装置が得られる。
【００３５】
尚、本発明の実施例においては、前記側辺用遮光部７は遮光板７１をスリット状の収納部７２に収納するようにした。しかし、本発明はこの構成に限定されることなく、収納部７２がスリット状でなく遮光板７１を本体２の外側面に沿わせるようにして収納するようにしたものでもよい。また、この遮光板７１はほぼ扇形の板体により構成されているものとしたが、これに限らず、例えば薄肉の遮光性シートを伸縮自在に取り付けるようにしても良い。
【図面の簡単な説明】
【００３６】
【図１】図１は本発明の実施例１における複写装置であって薄い原稿を複写する状態を示す斜視図である。
【図２】図２は本発明の実施例１における複写装置であって厚い原稿を複写する状態を示す斜視図である。
【図３】図３は本発明の実施例２における複写装置であって薄い原稿を複写する状態を示す斜視図である。
【図４】図４は本発明の実施例２における複写装置であって厚い原稿を複写する状態を示す斜視図である。
【符号の説明】
【００３７】
１          複写装置
２          本体
３          原稿台
４          遮光カバー
５          操作パネル
６          前辺用遮光部
７          側辺用遮光部
８          前辺用遮光部
４１          蝶番
６１          遮光幕
６２          係止ループ
６３          係止爪
７１          遮光板
７２          収納部
７３          支軸
８１          遮光板
８２          蝶番
【図１】
2006243414.tif 000003
【図２】
2006243414.tif 000004
【図３】
2006243414.tif 000005
【図４】
2006243414.tif 000006